(57)【要約】      （修正有）【課題】ヘルメットにウエアブルカメラを容易に装着でき、装着後も動くことがなく、また、積極的にカメラ位置を動かしたい場合には、容易に位置移動が可能なヘルメット用カメラ装着ベルトを提供する。【解決手段】ヘルメット面に接して配置されるカメラ固定アタッチメント２と、カメラ固定アタッチメントの裏面上部でヘルメット面に接し、カメラ固定アタッチメントの両側部貫通溝から左右後方のヘルメット後部ベルトホルダ５ａを介してヘルメット後方にヘルメット下端に沿って延設される伸縮性のある下ベルト４と、カメラ固定アタッチメントの裏面下部でヘルメット面に接し、カメラ固定アタッチメントの両側部貫通溝から左右のヘルメット側部ベルトホルダまで延設される伸縮性のある上ベルト３と、を有する。【選択図】図１
0003230712.tif 000002
【実用新案登録請求の範囲】
【請求項１】
ヘルメットにウエアブルカメラを装着するヘルメット用カメラ装着ベルトであって、
ヘルメット面に接して配置されるカメラ固定アタッチメントと、
カメラ固定アタッチメントの裏面上部でヘルメット面に接し、カメラ固定アタッチメントの両側部貫通溝から左右後方のヘルメット後部ベルトホルダを介してヘルメット後方にヘルメット下端に沿って延設される伸縮性のある下ベルトと、
カメラ固定アタッチメントの裏面下部でヘルメット面に接し、カメラ固定アタッチメントの両側部貫通溝から左右のヘルメット側部ベルトホルダまで延設される伸縮性のある上ベルトと、
を有することを特徴とするヘルメット用カメラ装着ベルト。
【請求項２】
上ベルト又は下ベルトが裏面粘着性のシリコン製ベルトであることを特徴とする請求項１に記載のヘルメット用カメラ装着ベルト。
【請求項３】
ヘルメット後部ベルトホルダ及びヘルメット側部ベルトホルダがヘルメットの内側に配置されるヘルメット内装アゴヒモバックル用突起に同内側で上から下に係合して固定される形状であることを特徴とする請求項１又は２のいずれかに記載のヘルメット用カメラ装着ベルト。
【考案の詳細な説明】
【技術分野】
【０００１】
本考案は、工事等に使用されるヘルメットに双方向通話機能付きウエアブルカメラを装着するヘルメット用カメラ装着ベルトに関する。
【背景技術】
【０００２】
工事等に使用されるヘルメットにウエアブルカメラを固定装着したり、ヘルメットそのものにウェアブルカメラを一体的に内蔵させることは、例えば、特開２０１５-９４０６２号公報に開示のものなどが知られている。
特開２０１５-９４０６２号公報の開示は、発明名称「スマートヘルメット」に係り、「有効な使用体験を提供することができるスマートヘルメットを提供することを目的とする」発明解決課題において(同公報明細書段落番号０００３参照)、「無線伝送モジュールと、イヤホンと、マイクロプロセッサと、投影モジュールと、を備えるスマートヘルメットであって、前記無線伝送モジュールは、前記スマートヘルメットと外部装置とを接続して、前記スマートヘルメットと前記外部装置との間でデータの交換を行ない、前記イヤホンは、オーディオ信号を送受信し、前記投影モジュールは、マイクロプロジェクター及び投影プレートを含み、前記投影プレートは、前記スマートヘルメットの半透明マスクであり、前記マイクロプロジェクターは、前記半透明マスクに映像を投影し、前記マイクロプロセッサは、前記スマートヘルメットに装着されたカメラ又はＧＰＳからのデータ及び前記外部装置からのデータを処理して、処理された後のデータを前記イヤホン又は前記マイクロプロジェクターに伝送することを特徴とする」構成を有し（同公報特許請求の範囲請求項１の記載等参照）、「電話を受けることができると共に、マイクロプロジェクターを介して必要な映像を半透明マスクに投影することができる。このため、本発明に係るスマートヘルメットの装着者は、スマートヘルメットを利用して、前方の道路情報を観察することができると共に、半透明マスクに投影された映像も見ることができる。」等の効果を奏するものである。
【０００３】
図３は、特開２０１５-９４０６２号公報に図２として添付される開示発明の実施形態に係るスマートヘルメットの構造を示す図である。図３において、符号１０は、スマートヘルメット、１３１は、第一カメラ素子、１３２は、第二カメラ素子、１５１は、スピーカー、１５２は、マイク、１６１は、マイクロプロジェクター、１６２は、投影プレート、１７０は、タッチパネルである（なお、符号は、先行技術であることを明らかにするために、本願出願人において、符号１００は公報開示のまま、その余の符号は、１００番台の３桁に変更して説明した。）
【０００４】
図３から明らかなように、同公報に開示のスマートヘルメットは、ヘルメット自体の構造等を変更するものであり、アイデアとして優れているかも知れないが、ヘルメットの構造等の変更は安全規格の承認を受けなければならないなど，一般的に市場で使用されるヘルメットとしては実用的ではない。
そこで、本願考案者は、通例簡便に使用される市販の安全規格ヘルメットに簡単にウエアブルカメラを装着できるヘルメット用カメラ装着ベルトを考案したが(図４参照）、そのベルトを編み込み式メッシュとしたため、ヘルメット上で不用意に動いてしまい、カメラ固定に今ひとつの感があった。
【０００５】
図４は、本願考案者の改良前のヘルメット用カメラ装着ベルトの概略を示す図であり、図４において、符号２０１は、改良前のヘルメット用カメラ装着ベルト、２０２は、縦ベルト、２０３は、横ベルト、２０４は、ヘルメット取り付け具、２０５は、カメラ取り付けアタッチメント、２０６は、ウエアブルカメラである。しかしながら、改良前のヘルメット用カメラ装着ベルト２０１にあっては、縦ベルト２０２及び横ベルト２０３の材質について、編み込み式メッシュとしたため、ヘルメットを被る作業者の動きに伴って、ベルト２０２，２０３がヘルメット面を滑り、ウエアブルカメラ２０６が不用意にヘルメット上で動いてしまうなどの問題があった。
【先行技術文献】
【特許文献】
【０００６】
【特許文献１】特開２０１５-９４０６２号公報
【考案の概要】
【考案が解決しようとする課題】
【０００７】
そこで、本願考案者は、ヘルメットにウエアブルカメラを容易に装着でき、装着後も動くことがなく、また、積極的にカメラ位置を動かしたい場合には、容易に位置移動が可能なヘルメット用カメラ装着ベルトを提供することを目的とする。
【課題を解決するための手段】
【０００８】
上記の改題を解決するために、本願請求項１に係る考案は、ヘルメットにウエアブルカメラを装着するヘルメット用カメラ装着ベルトであって、ヘルメット面に接して配置されるカメラ固定アタッチメントと、カメラ固定アタッチメントの裏面上部でヘルメット面に接し、カメラ固定アタッチメントの両側部貫通溝から左右後方のヘルメット後部ベルトホルダを介してヘルメット後方にヘルメット下端に沿って延設される伸縮性のある下ベルトと、カメラ固定アタッチメントの裏面下部でヘルメット面に接し、カメラ固定アタッチメントの両側部貫通溝から左右のヘルメット側部ベルトホルダまで延設される伸縮性のある上ベルトと、を有することを特徴とする。
また、本願請求項２に係る考案は、前記請求項１に記載のヘルメット用カメラ装着ベルトにおいて、上ベルト又は下ベルトが裏面粘着性のシリコン製ベルトであることを特徴とする。
そして、本願請求項３に係る考案は、前記請求項１又は２のいずれかに記載のヘルメット用カメラ装着ベルトにおいて、ヘルメット後部ベルトホルダ及びヘルメット側部ベルトホルダがヘルメットの内側に配置されるヘルメット内装アゴヒモバックル用突起に同内側で上から下に係合して固定される形状であることを特徴とする。
【考案の効果】
【０００９】
上記のような構成としたので、本願考案に係るヘルメット用カメラ装着ベルトは、次のような効果を奏する。
（１）市販の安全規格ヘルメット等いかなるヘルメットにも容易にウエアブルカメラの装着／脱着ができ、現場の状況に応じて柔軟にカメラの設置位置を変えることができ、また、カメラを使わないときはヘルメット上部に簡単に移動でき頭部への負担を軽減することができる。
（２）ウエアブルカメラを双方向通信通話可能なカメラを使用する場合には、カメラの送信画像により別途に所在する監督者等が作業者目線でのリアルタイムに状況を把握することができ、また、作業者は、両手で他の作業をしながら、双方向通信通話を利用した監督者等とのコミュニケーションをとることができ、利便性が高まる。
【図面の簡単な説明】
【００１０】
【図１】図１は、本考案に係るヘルメット用カメラ装着ベルトの実施例１を示す斜視図である。
【図２】図２は、本実施例１に係るヘルメット用カメラ装着ベルト１をヘルメットに装着し、その先端にウエアブルカメラを装着した使用状態を示す図である。
【図３】図３は、特開２０１５-９４０６２号公報に図２として添付される開示発明の実施形態に係るスマートヘルメットの構造を示す図である。
【図４】図４は、本願考案者の改良前のヘルメット用カメラ装着ベルトの概略を示す図である。
【考案を実施するための形態】
【００１１】
本考案に係るヘルメット用カメラ装着ベルトを実施する一実施例を図面に基づき詳細に説明する。
【実施例１】
【００１２】
図１は、本考案に係るヘルメット用カメラ装着ベルトの実施例１を示す斜視図である。図１において、符号１は、本実施例１に係るヘルメット用カメラ装着ベルト、２は、カメラ固定アタッチメント、３は、上ベルト。４は、下ベルト、５ａ、５ｂは、ヘルメット後部ベルトホルダ、５ｃは、ベルト長調整部品、６ａ、６ｂは、ヘルメット側部ベルトホルダである。図１に示す上下のベルト３、４は、いずれも伸縮性のあるシリコン製ベルトが使用されるが、上ベルト３は、幅２０ｍｍ×長さ８００ｍｍ×厚さ１．５ｍｍの裏面粘着性のあるシリコンベルトであり、下ベルト４は、幅１８ｍｍ×長さ４００ｍｍ×厚さ１．０ｍｍの裏面粘着性のないシリコンベルトが使用される。
【００１３】
また、ベルトホルダ５ａ、５ｂ及び６ａ、６ｂはＰＡ樹脂製ベルトホルダであり、いずれもヘルメット(図１では図示外）の内側数カ所に配置されるヘルメット内装アゴヒモバックル(図示外)用突起に同内側で上から下に係合して固定される形状／構造のものである。すなわち、市販の安全規格ヘルメットは、頭部を固定し、外部の衝撃が頭部に影響しないように、ヘルメット自体と頭部が直接接触しない構造とされ、いわば、ヘルメット内装によって宙に浮いたような構造を有する。このため、安全規格のヘルメットは、ヘルメット内に４点ないしはそれ以上の数の内側に突出する突起で吊り下げられる構造を有し、本実施例１に係るヘルメット用カメラ装着ベルト１の前記ベルトホルダ５ａ、５ｂ及び６ａ、６ｂは、同じ当該突起に吊り下げる形で固定される形状ないし構造のものである。
【００１４】
なお、これらのベルトホルダ５ａ、５ｂ及び６ａ、６ｂは、折り曲げられた外側がバックル構造を有し、挿通されるシリコンベルト３、４の長さを調整可能とする。すなわち、上ベルト３にあっては、カメラ固定アタッチメント２の裏側上部に露出して通った後、ベルトホルダ５ａ、５ｂで方向を変えさせらたのち、ヘルメット後下端に沿って略真後ろに配置されるベルト長調整部品５ｃにより長さが調整されてヘルメット後下端に配置される。
また、下ベルト４にあっては、同様に、カメラ固定アタッチメント２の裏側下部に露出して通った後、側部のベルトホルダ６ａ、６ｂで方向を変えさせられた後、折り返されて、しかる後、前述する各バックル構造により長さの調整を実現する形状、構造のものである。
【００１５】
図１から明らかなように、本実施例１に係るヘルメット用カメラ装着ベルト１においては、前記シリコン上ベルト３は、ヘルメット略真後ろ配置されるベルト長調整部品５ｃからヘルメット下端に沿って延設され、ヘルメット後部ベルトホルダ５ａでヘルメット面を斜め上方に屈曲し、カメラ固定アタッチメント２の側部貫通溝(図示外）から裏側上部に露出してヘルメット面に接し、反対側の側部貫通溝(図示外)からヘルメット面の反対側に斜め下方に延設され、ヘルメットの反対側に配置される後部ベルトホルダ５ｂでヘルメット下端に沿って同ベルト長調整部品５ｃのバックル構造で長さが調整される。
【００１６】
また、前記シリコン下ベルト４は、ヘルメット側部ベルトホルダ６ａのバックル構造からカメラ固定アタッチメント２の側部貫通溝(図示外）の下側から裏側下部に露出してヘルメット面に接しつつ反対側の側部貫通溝(図示外)から反対側ヘルメット面をヘルメット側部ベルトホルダ６ｂまで延設し、同ヘルメット側部ベルトホルダ６ｂのバックル構造で長さを調節されながら配置される。
【００１７】
そして、本実施例１に係るヘルメット用カメラ装着ベルト１における前記シリコンベルト３、４においては、上述するように、上ベルト３に裏面粘着性のある伸縮性シリコンベルトを使用し、下ベルト４に裏面粘着性のないシリコンベルトを使用したので、カメラ装着後にカメラをヘルメット上部に移動させる場合には、一方の裏面粘着性のない伸縮性下ベルト４のみを持ち上げてヘルメット面から引き離せば,容易にカメラの上下移動が可能となるのである。
また、シリコンベルト３，４は、−６０℃〜＋２００℃で変性しないものを使用するので、屋外でのほとんどの使用環境に耐えられ、絶縁性もあるので、誤って電気設備に接触したとしても漏電・感電の危険はなく、また、一般に使用される材質であるため、化学品過敏などの人にも生理的に安定・安心を与えることができる。
【００１８】
さらに、図１から明らかなように、市販の安全規格ヘルメットを始めとする多くのヘルメットに装着できることに加え、シリコンベルト３、４が配置される領域以外はヘルメット面が露出するので、使用する会社の社名・ロゴ・マーク等の表示を妨げることなく装着できるという特徴を有する。
【００１９】
図２は、本実施例１に係るヘルメット用カメラ装着ベルト１をヘルメットに装着し、その先端にウエアブルカメラを装着した使用状態を示す図である。
図２において、符号１は、上述の本実施例１に係るヘルメット用カメラ装着ベルト、２は、カメラ固定アタッチメント、３は、上ベルト。４は、下ベルト、５ｂは、ヘルメット後部ベルトホルダ、６ｂは、ヘルメット側部ベルトホルダ、７は、ヘルメット、２０５は、カメラ取り付けアタッチメント、２０６は、ウエアブルカメラである。
【００２０】
図２から明らかなように、本実施例１に係るヘルメット用カメラ装着ベルト１ヘルメットに装着し、その先端にウエアブルカメラを装着したので、伸縮性のある上ベルト３及び下ベルト４によりヘルメット面に密着させることができ、装着するウエアブルカメラの固定を安定させることができ、さらに、上ベルト３及び下ベルト4のうちの一方のベルトを裏面粘着性があり,他方のベルトを裏面接着性がない材質としたので、装着されるウエアブルカメラ２０６の位置を移動させる場合にも安定的、かつ、容易に移動できることとなる。
【００２１】
なお、本実施例１に係るヘルメット用カメラ装着ベルト１においては、装着するウエアブルカメラ２０６の落下防止のため、カメラ固定アタッチメント２の下端隅に穴(図示外）を設け、これに落下防止紐(図示外）を通してカメラ２０６の落下に対処するようにしても良い。
【産業上の利用可能性】
【００２２】
本考案は、工事等に使用されるヘルメットに双方向通話機能付きウエアブルカメラを装着するヘルメット用カメラ装着ベルトに利用される。
【符号の説明】
【００２３】
１ 実施例１に係るヘルメット用カメラ装着ベルト
２ カメラ固定アタッチメント
３ 上ベルト(シリコンベルト）
４ 下ベルト（シリコンベルト）
５ａ、５ｂ ヘルメット後部ベルトホルダ
５ｃ ベルト長調整部品
６ａ、６ｂ ヘルメット側部ベルトホルダ
１００ スマートヘルメット
１３１ 第一カメラ素子
１３２ 第二カメラ素子
１５１ スピーカー
１５２ マイク
１６１ マイクロプロジェクター
１６２ 投影プレート
１７０ タッチパネル
２０１ 改良前のヘルメット用カメラ装着ベルト
２０２ 縦ベルト
２０３ 横ベルト
２０４ ヘルメット取り付け具
２０５ カメラ取り付けアタッチメント
２０６ ウエアブルカメラヘルメット用カメラ装着ベルト
【図１】
0003230712.tif 000003
【図２】
0003230712.tif 000004
【図３】
0003230712.tif 000005
【図４】
0003230712.tif 000006